(57)【要約】【課題】  携帯電話等のストラップに取り付けたマスコット玩具を挟持させる際、挟持力が強く、確実にマスコット玩具を携帯電話等に必要に応じて保持させることができるようにしたい。【解決手段】    携帯電話のストラップなどの吊下げ具に、取り付けられるマスコット玩具１において、玩具は動物や人形、擬人化した動植物やキャラクターであり、且つ該玩具は少なくとも左右に突出した両腕４，４を備え、玩具内に、基部の左右の摘み部１１ａ，１２ａ、先部の左右の挟持アーム１１ｂ，１２ｂ及び弾性部材１３からなるクランプを内装させ、クランプの左右の摘み部は玩具本体内に内装し、左右の挟持アームは玩具本体から左右に突設した両腕内に内装し、左右の摘み部は玩具の外側から摘み操作可能とし、両腕を開閉させて該両腕間で被挟持物を弾性的に挟持することができるようにした吊下げ具のマスコット玩具。【選択図】      図３
0003104657.tif 000002
【実用新案登録請求の範囲】
【請求項１】
携帯電話のストラップなどの吊下げ具に、取り付けられるマスコット玩具において、
前記玩具は動物や人形、擬人化した動植物やキャラクターであり、且つ該玩具は少なくとも左右に突出した両腕を備え、
前記玩具内に、基部の左右の摘み部、先部の左右の挟持アーム及び弾性部材からなるクランプを内装させ、
前記クランプの左右の摘み部は玩具本体内に内装し、前記左右の挟持アームは玩具本体から左右に突設した両腕内に内装し、
前記左右の摘み部は玩具の外側から摘み操作可能とし、前記両腕を開閉させて該両腕間で被挟持物を弾性的に挟持することができるようにした、
ことを特徴とする吊下げ具のマスコット玩具。
【請求項２】
前記玩具は両腕とともに両脚を備え、前記玩具は両脚用のクランプを内装し、該クランプの左右の挟持アームを、玩具に突設した両脚に内装し、該クランプの左右の摘み部を玩具の外側から摘み操作可能とし、前記両脚を開閉させて該両脚間で被挟持物を弾性的に挟持することができるようにしたことを特徴とする請求項１記載の吊下げ具のマスコット玩具。
【請求項３】
前記クランプは、樹脂製或いは金属製のクリップや洗濯挟みであることを特徴とする請求項１または請求項２に記載のマスコット玩具。
【考案の詳細な説明】
【技術分野】
【０００１】
本考案は、携帯電話のストラップなどの吊下げ具に取り付けられるマスコット玩具に関するものである。
【背景技術】
【０００２】
携帯電話のストラップ等に取り付けられる動物などに模したマスコット玩具は提案されている（例えば特許文献１参照。）。
【特許文献１】実用新案登録第３０８５４７１号
【０００３】
特許文献１はマスコット玩具に係り、ストラップに取り付けられるマスコット玩具は、手脚を有する動物に模したものである。
玩具の胴体部に設けられた腕部は樹脂製であり、可撓性を有し、先端部が接近するように彎曲して形成されており、外力を加えて両腕を拡開し、外力を取り除くことで元の状態に復元するように形成されている。
マスコット玩具は２つ用意し、一方のマスコット玩具のリング状の尻尾部に他方のマスコット玩具の両腕を挟んで連結したり、２つのマスコット玩具の双方の両腕を拡開し、互いに抱き合うように構成されている。
【０００４】
以上の従来のマスコット玩具の両腕による挟持力は、樹脂製の腕部の撓曲力のみであり、他のマスコット玩具と抱き合って連結したり、他のマスコット玩具のリング状の尻尾に腕を連結（絡ませる）させる程度なので、両腕の挟持力が弱い。
ところで、携帯電話のストラップにマスコット玩具を取り付け、携帯電話をバッグに収納したりする際、携帯電話に吊下げられたマスコット玩具が収納の邪魔になったり、ストラップが絡んだりする場合がある。
【０００５】
そこでマスコット玩具を両腕で携帯電話に保持させ、ストラップが絡んだり、マスコット玩具が邪魔にならないようにすることも試みられるが、上記した従来のマスコット玩具では、マスコット玩具自体の両腕の挟持力が弱い。
従って、携帯電話の本体にマスコット玩具を挟持させて保持し、ストラップの絡みの防止、及びマスコット玩具が邪魔にならないようにすることは難しい。
また、マスコット玩具の両腕の挟持力が弱いので、マスコット玩具の保持力で、ストラップ等を吊下げた携帯電話等を吊り下げて保持することができない。
【考案の開示】
【考案が解決しようとする課題】
【０００６】
本考案は、携帯電話のストラップなどの吊下げ具に取り付けられるマスコット玩具の両腕による挟持力を強いものとし、携帯電話にマスコット玩具を挟持させた際、挟持力が強く、確実にマスコット玩具を携帯電話に必要に応じて保持させることができ、ストラップやこれに取り付けられたマスコット玩具を携帯電話と一体化させて収納することができ、またマスコット玩具を介して携帯電話を吊下げ保持することを可能とし、携帯電話所有者が好む、また興趣に富むストラップ用のマスコット玩具の実用性を向上させた吊下げ具のマスコット玩具を提供することを課題とする。
【課題を解決するための手段】
【０００７】
請求項１に係る考案は、携帯電話のストラップなどの吊下げ具に、取り付けられるマスコット玩具において、前記玩具は動物や人形、擬人化した動植物やキャラクターであり、且つ該玩具は少なくとも左右に突出した両腕を備え、前記玩具内に、基部の左右の摘み部、先部の左右の挟持アーム及び弾性部材からなるクランプを内装させ、前記クランプの左右の摘み部は玩具本体内に内装し、前記左右の挟持アームは玩具本体から左右に突設した両腕内に内装し、前記左右の摘み部は玩具の外側から摘み操作可能とし、前記両腕を開閉させて該両腕間で被挟持物を弾性的に挟持することができるようにしたことを特徴とする。
【０００８】
請求項２に係る考案は、請求項１において、前記玩具は両腕とともに両脚を備え、前記玩具は両脚用のクランプを内装し、該クランプの左右の挟持アームを、玩具に突設した両脚に内装し、該クランプの左右の摘み部を玩具の外側から摘み操作可能とし、前記両脚を開閉させて該両脚間で被挟持物を弾性的に挟持することができるようにしたことを特徴とする。
【０００９】
請求項３に係る考案は、請求項１または請求項２において、前記クランプは、樹脂製或いは金属製のクリップや洗濯挟みであることを特徴とする。
【考案の効果】
【００１０】
請求項１に係る考案では、マスコット玩具内に左右の摘み部、左右の挟持アーム及び弾性部材からなるクランプを内装させ、左右の挟持アームを玩具本体から左右に突設した両腕内に内装し、玩具の外側から左右の摘み部を摘み操作し、挟持アームを開閉して両腕間で被挟持物を弾性的に挟持することができるようにしたので、ストラップに取り付けるマスコット玩具の両腕で、携帯電話やバッグなどの被挟持物を弾性的に強く、確実に挟持することができる。
従って、バッグに携帯電話などを収納するに際し、収納に邪魔になるマスコット玩具を携帯電話などに挟持させて確実に保持させることができ、また、バッグなどにも携帯電話をマスコット玩具を介して挟持、保持させることができ、携帯電話のストラップ、これに取り付けるマスコット玩具の収納上便利であるとともに、マスコット玩具の両腕の挟持力が強くできるので、マスコット玩具の保持力で、ストラップなどに吊下げた携帯電話などを吊下げ、保持することがきる。
また、動物などの形状に模したぬいぐるみ状のマスコット玩具としつつ、両腕による挟持力を強く設定することもでき、携帯電話などのストラップに取り付ける、興趣に富み、携帯電話使用者の趣味性に合致する挟持力が強いマスコット玩具を得ることができる。
【００１１】
請求項２に係る考案では、請求項１において、マスコット玩具は前記した両腕とともに、両脚用のクランプを内装し、両脚を開閉させて両脚間で被挟持物を弾性的に挟持することができるようにしたので、請求項１の効果に加えるに、両手、両脚の弾性力で携帯電話や被挟持物にマスコット玩具を挟持させて保持することができ、マスコット玩具の携帯電話への挟持、保持、マスコット玩具の保持力による携帯電話などの吊下げ、保持をマスコット玩具の強い挟持作用で確実に行なうことができ、マスコット玩具による挟持作用の一層の向上が図れる。
【００１２】
請求項３に係る考案では、請求項１または請求項２において、クランプを樹脂製或いは金属製のクリップや洗濯挟みとしたので、ぬいぐるみ状のマスコット玩具内にこれを内装すれば挟持力の強い両腕を備えるマスコット玩具が得られ、また両手、両脚の挟持部材がクリップなので、既存のありふれた弾性挟持部材を用いて、安価に、容易にマスコット玩具の挟持機構を得ることができる。
【考案を実施するための最良の形態】
【００１３】
本考案を実施するための最良の形態を添付図に基づいて以下に説明する。なお、図面は符号の向きに見るものとする。
図１は、本考案に係るマスコット玩具を携帯電話に挟持させて保持した状態の斜視図である。
図では、マスコット玩具１の形状としては熊のぬいぐるみ状の玩具とし、玩具１は両腕、両脚で携帯電話３０を挟持し、携帯電話３０に保持させた状態を示している。
携帯電話３０は、実施の形態では本体３１、ヒンジ部３３から開閉自在とした蓋体３２からなり、図では本体３１、蓋体３２を閉じた状態を示している。
【００１４】
図２は、ストラップにマスコット玩具を取り付けた状態の斜視図である。
マスコット玩具１は、前記した通り、熊のぬいぐるみ状であり、胴部２、頭部３、左右の腕（両腕）４，４、左右の脚（両脚）５，５を備える。
玩具１の各部は、例えば、内部の芯材は、比較的柔らか目の素材を選択し、これを所定形状に成形し、実施の形態では熊の形状とし、この芯材を覆う外皮材は、手で触れて感触の良い起毛した布や樹脂シートで形成した構造とする。
これに代え、芯材を硬めとし、外皮材に感触の良い物を選択しても良い。
【００１５】
図示した実施の形態では、胴部２の後面で頭部３の後部下方には、リング状の係止部６を突設し、これに樹脂や金属、或いはゴム等をコイル状とした連結紐７の一端部７ａを係止し、他端部７ｂをリング２１を介してストラップ２０の基端部に設けた取付金具２２に連結し、玩具１をストラップ２０に取り付ける。
以上により、ストラップ２０（吊下げ具）にマスコット玩具１を取り付け、ストラップ２０は、ループ状の紐部２３を携帯電話３０の係止部を通し、携帯電話３０に連結する。
【００１６】
図３は、マスコット玩具の内部構造を透視し得る状態とした説明的斜視図であり、図４は、図３の４−４線断面図である。
マスコット玩具１は上記したように熊のぬいぐるみ状であり、その胴部２内の上部にはクランプ１０を内装、設置する。
クランプ１０は、実施の形態では樹脂製とし、各部を一体或いは一体的に形成した。
【００１７】
クランプ１０は左右のアーム１１，１２を備える。
各アーム１１，１２は、基部の摘み部１１ａ，１２ａ、中間部〜先部の左右の挟持アーム１１ｂ，１２ｂを備え、各挟持アーム１１ｂ，１２ｂの各先端部には、向かい合って平行するようにフラットな板片状の挟持部１１ｃ，１２ｃを備える。
実施の形態では、摘み部１１ａ，１２ａに近い中間部に対向するように内方に突設された突出部１１ｄ，１２ｄの対向端部に凹凸係合部１１ｅ，１２ｅを備える。
【００１８】
左右のアーム１１，１２は、左右の挟持アーム１１ｂ，１２ｂの中間部に先端部を連結した板バネ状の弾性部材１３で閉じ方向に付勢されて連結されている。
弾性部材１３は、実施の形態では樹脂で形成し、Ｕ字形であり、突出部１１ｄ，１２ｄの外側を通って左右の挟持アーム１１ｂ、１２ｂに先端部を連結し、凹凸係合部１１ｅ，１２ｅが凹凸係合し、この部分をヒンジとしてアーム１１，１２は開閉する。
【００１９】
以上のクランプ１０はマスコット玩具１の胴部２内の上部内に内装され、摘み部１１ａ，１２ａは胴部２の背面内に臨み、玩具の外皮材の外から摘み操作することで摘持することができる。
そして、クランプ１０の左右の挟持アーム１１ｂ，１２ｂの中間部〜先部は玩具１の左右の腕４，４内に臨み、腕４，４の先端部４ａ，４ａを構成する掌に相当する部分内にフラットで板片状の挟持部１１ｃ，１２ｃが臨む。
以上により、マスコット玩具１内に内装したクランプ１０の左右の挟持アーム１１ａ，１２ａは両腕４，４内に内装され、臨むこととなる。
【００２０】
図４は、マスコット玩具１の両腕を閉じた状態を示し、内装したクランプ１０の左右の挟持アーム１１ｂ，１２ｂは弾性部材１３の縮閉付勢力により弾性的に閉じ、両腕４，４は図のように閉じ、両腕の先端部４ａ，４ａである左右の掌の部分は相寄る方向に弾性的に付勢され、合わされている。
【００２１】
図５は、マスコット玩具の両腕が、図４の状態から開いた状態を示す図である。
図４の矢印のようにマスコット玩具１の胴部２の背面から左右の摘み部１１ａ，１２ａを摘持する。
これにより、左右の挟持アーム１１ｂ，１２ｂは凹凸係合部１１ｅ，１２ｅがヒンジとなり、この部分を中心として弾性部材１３の弾発、付勢力に抗して拡開する。
この状態を図５で示し、左右の腕４，４間の間隔は大きくなり、この間に被挟持物を挟持する。このように両腕４，４を拡開した状態で図１に示したように、ストラップ２０を含むマスコット玩具１を挟持させて保持させる。
尚、両脚５，５は、内装する芯材を選択することで、内側に曲げてある程度閉じ方向にの可撓性を持たせることができ、これにより図１に示したように両腕４，４の挟持弾力とともに、両脚５，５の可撓性で該両脚５，５を、被挟持物（携帯電話）に抱き付かせて保持させることができる。
【００２２】
図６は、マスコット玩具の他の形状の例を示す斜視図である。
図６は、マスコット玩具１０１として猿の形態としたものを示し、両腕１０４，１０４の掌を明確な形状とし、両手１０４ａ，１０４ａでいかにも被挟持物を挟持するような形態として面白味をもたせ、両脚１０５，１０５も同様な形態とした。
【００２３】
図７は、両腕とともに両脚も弾性挟持力を有するようにした形態の斜視図であり、図８は図７の透視斜視図である。
本実施の形態では、マスコット玩具２０１の外形として野菜、図では人参の形状としたもので、芯材、外皮材は上記と同様である。
マスコット玩具２０１は人参の形状なので全体が上下に長く、下半部が順次小さくなる形状で、擬人化して胴部２０２の上部に顔２０３を設け、背部の上部に設けたリング状の係止部６を介して連結した連結紐７により、ストラップ２０に取り付けられている。
【００２４】
図８で内部構造を示した通り、左右の腕２０４，２０４は、胴部２０２の上部に内装した前記と同様の腕用のクランプ２１０で弾性挟持力を付して開閉自在とし、これとは別に胴部２０２の下部には左右の脚２０５，２０５用のクランプ３１０を内装、設置する。
クランプ３１０の左右のアーム３１１，３１２は、基部の摘み部３１１ａ，３１２ａ、挟持アーム部３１１ｂ，３１２ｂ、ヒンジ部を構成する凹凸係合部３１１ｄ，３１２ｄ、弾性部材３１３を備える。
【００２５】
クランプ３１０の左右のアーム３１１，３１２の挟持アーム部３１１ｂ，３１２ｂは、胴部２０２の下部に設けた両脚２０５，２０５内に臨ませて内装し、先端部３１１ｃ，３１２ｃを実施の形態では靴を履かせた足２０５ａ，２０５ａ内に配置した。
上部のクランプ２１０は、下部のクランプ３１０と略々平行するように配置し、両腕内に内装し、実施の形態では手に手袋を装着した形態とした。
【００２６】
以上においては、両腕２０４，２０４とともに両脚２０５，２０５も弾性挟持力を具備し、両腕２０４，２０４の弾性挟持力と両脚２０５，２０５の弾性挟持力とで被挟持物に挟持させて保持することができる。
これによれば、両腕、両脚の一方、或いは双方を用いて携帯電話などに挟持させて保持させることができ、本実施の形態によれば、マスコット玩具の外形、寸法を大きく設定しても、携帯電話などに確実に挟持させて保持させることができる。
【００２７】
以上実施の形態を説明したが、マスコット玩具の形状は任意であり、動物の形状も上記に限られず、また野菜の形状も任意であり、野菜以外の植物の形状でも良く、更に親しみ易い擬人化した乗り物や漫画のキャラクター等任意である。
また、実施の形態では携帯電話のストラップに取り付ける例を示したが、例えばキーチエーン、その他の吊り紐などの吊下げ具に使用することができる。
また、実施の形態ではクランプとして樹脂製のクリップを用いたが、樹脂製の洗濯挟みを用ても良く、またこれに代え、樹脂製や金属製のクリップや洗濯挟みでもよい。クランプとしては、クリップや洗濯挟みに限られず、その他の弾性的な挟持力を有する挟持具を用いることができる。
従って、実施の形態に限られない。
【産業上の利用可能性】
【００２８】
本考案に係る吊下げ具のマスコット玩具は、携帯電話のストラップに取り付けるのに好適である。
【図面の簡単な説明】
【００２９】
【図１】本考案に係るマスコット玩具を携帯電話に挟持させて保持した状態の斜視図である。
【図２】ストラップにマスコット玩具を取り付けた状態の斜視図である。
【図３】マスコット玩具の内部構造を透視し得る状態とした説明的斜視図である。
【図４】図３の４−４線断面図である。
【図５】マスコット玩具の両腕が、図４の状態から開いた状態を示す図である。
【図６】マスコット玩具の他の形状の例を示す斜視図である。
【図７】両腕とともに両脚も弾性挟持力を有するようにした形態の斜視図である。
【図８】図７の透視斜視図である。
【符号の説明】
【００３０】
１，１０１，２０１…マスコット玩具、  ４，１０４，２０４…両腕、  ５，１０５，２０５…両脚、  １０，２１０，３１０…クランプ、  １１，１２，３１１，３１２…アーム、  １３，３１３…弾性部材、  ２０…ストラップ、  ３０…携帯電話。
【図１】
0003104657.tif 000003
【図２】
0003104657.tif 000004
【図３】
0003104657.tif 000005
【図４】
0003104657.tif 000006
【図５】
0003104657.tif 000007
【図６】
0003104657.tif 000008
【図７】
0003104657.tif 000009
【図８】
0003104657.tif 000010